(57)【特許請求の範囲】
【請求項１】
農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された前記支柱を弾性的に挟持できることを特徴とする農園芸用支柱相互連結具。
【請求項２】
農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された支柱を、対向する挟持片部間で弾性的に挟持でき、前記弾性変形部は、上方に向けて又は下方に向けて凸のＵ字状部として構成され、該Ｕ字状部の一方の端部が前記連結部材の端部に連結されると共に、該Ｕ字状部の他方の端部が前記支柱挟持部に連結されていることを特徴とする農園芸用支柱相互連結具。
【請求項３】
農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された前記支柱を対向する挟持片部間で弾性的に挟持でき、
前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記支柱挟持部に連結されていることを特徴とする農園芸用支柱相互連結具。
【請求項４】
農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されており、
前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されており、
前記連結部材の左右両端部の内の一方の端部の下端側に、前記波線状屈曲部の前記第１のＵ字状弾性変形部の外端が連結されると共に、該波線状屈曲部の前記第２のＵ字状弾性変形部の外端が前記Ｃ字筒状体の外側面の下端側に連結されており、
前記連結部材の左右両端部の内の他方の端部の上端側に、前記波線状屈曲部の前記第２のＵ字状弾性変形部の内端が連結されると共に、該波線状屈曲部の前記第１のＵ字状弾性変形部の外端が、前記Ｃ字筒状体の前記外側面の上端側に連結されていることを特徴とする農園芸用支柱相互連結具。
【請求項５】
農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されており、
前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されており、
前記連結部材の左右両端部の内の一方の端部の下端側に、前記波線状屈曲部の前記第１のＵ字状弾性変形部の外端が連結されると共に、該波線状屈曲部の前記第２のＵ字状弾性変形部の外端が前記Ｃ字筒状体の外側面の下端側に、該Ｃ字筒状体の正回りの周方向で見て該外側面の左右中央部から前記支柱導入口側に偏倚して連結されており、
前記連結部材の左右両端部の内の他方の端部の上端側に、前記波線状屈曲部の前記第２のＵ字状弾性変形部の外端が連結されると共に、該波線状屈曲部の前記第１のＵ字状弾性変形部の外端が前記Ｃ字筒状体の前記外側面の上端側に、該Ｃ字筒状体の前記正回りの周方向で見て該外側面の前記左右中央部から前記支柱導入口側に偏倚して連結されており、且つ、前記両偏倚の量は等しく設定されていることを特徴とする農園芸用支柱相互連結具。
【請求項６】
農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されており、
前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されており、
前記連結部材の左右両端部の内の一方の端部の下端側に、前記波線状屈曲部の前記第１のＵ字状弾性変形部の外端が、内側の水平突出部を介して連結されると共に、該波線状屈曲部の前記第２のＵ字状弾性変形部の外端が前記Ｃ字筒状体の外側面の下端側に、外側の水平突出部を介して、該Ｃ字筒状体の正回りの周方向で見て該外側面の左右中央部から前記支柱導入口側に偏倚して連結されており、
前記連結部材の左右両端部の内の他方の端部の上端側に、前記波線状屈曲部の前記第２のＵ字状弾性変形部の外端が、内側の水平突出部を介して連結されると共に、該波線状屈曲部の前記第１のＵ字状弾性変形部の外端が、前記Ｃ字筒状体の前記外側面の上端側に、外側の水平突出部を介して、該Ｃ字筒状体の前記正回りの周方向で見て該外側面の前記左右中央部から前記支柱導入口側に偏倚して連結されており、且つ、前記両偏倚の量は等しく設定されていることを特徴とする農園芸用支柱相互連結具。
【請求項７】
下端側の部分が土中に埋設されて立設される複数本の支柱と、請求項１〜６の何れかに記載の農園芸用支柱相互連結具とを具え、該支柱の長さ方向の前記所要部位が前記支柱挟持部の前記嵌入凹部に嵌入されることによって、該支柱相互が該農園芸用支柱相互連結具で連結されていることを特徴とする農園芸装置。 
【請求項８】
前記嵌入凹部に前記支柱の所要部位が嵌入された状態で、前記支柱挟持部が、該所要部位の軸線回りに回動可能とされていることを特徴とする請求項７記載の農園芸装置。 
【発明の詳細な説明】
【技術分野】
【０００１】
本発明は、農園芸用支柱相互連結具及び農園芸装置に関するものである。より詳しくは、植物の茎や幹を支持する植物栽培棚や、植物相互間に形成される間仕切り、植物に沿って形成されるフェンス、防獣柵等の農園芸用構造物を構成するに際し、下端側の部分が土中に埋設されて立設される支柱相互を連結する支柱相互連結具に関するものであり、又、前記農園芸用構造物を構成するための農園芸装置に関するものである。
【背景技術】
【０００２】
本出願人は特許文献１で、下端側の部分が土中に埋設されて平面視で一直線状やジグザグ状等の配置を呈するように所要間隔で立設された支柱相互を連結する植物栽培用の支柱相互連結具を提供した。該支柱相互連結具を用いて植物栽培棚を構成するに際しては、例えば４本の支柱を、平面視で一直線状やジグザグ状等の配置を呈するように、その下端側の部分を土中に埋設して所要間隔で立設状態に配置した後、隣り合う支柱相互を１段又は複数段で、前記支柱相互連結具により連結していた。
【０００３】
そして該連結は、同公報の図８に示されているように、該支柱相互連結具に設けられている支柱挟持部を介して行っており、該支柱挟持部は、同公報の図９に示すようにＣ字状の挟持部本体を具え、挟持部本体の支柱導入口の開口幅は前記支柱の径よりも小さく設定されていた。然して該連結を行うには、該支柱導入口に前記支柱の長さ方向の所要部位を当てがって後、該支柱を該支柱導入口を通して前記嵌入凹部に押し込み該所要部位を前記嵌入凹部に嵌入させることにより行っていた。
【０００４】
しかしながら、支柱をこのように立設状態に配置した後に、隣り合う支柱相互を前記支柱相互連結具により連結する作業は面倒で、植物栽培棚を構成するのに多くの手間と時間を要する問題があった。
【０００５】
そこで本出願の発明者は、各支柱を立設状態とした後に支柱相互を連結するのではなく、各支柱を立設するに先立って支柱相互を支柱相互連結具で連結しておくことを想到した。そして、このようにしておけば、各支柱を、その下端側の部分を土中に押込んで立設状態にしさえすれば、隣り合う支柱相互が該支柱相互連結具で連結されてなる植物栽培棚を自ずから構成でき、従って、植物栽培棚の組み立て作業を能率化できるのではないかとの知見を得た。そこで本発明者は、特許文献１が開示する支柱相互連結具を用いて、同公報の図１１や図１２に記載されているような植物栽培棚を組み立てんとした。
【０００６】
その一例として本発明者は、相互が前記支柱相互連結具で連結された４本の支柱を用い、耕した地面に該４本の支柱を立て、その後、両端の２本の支柱を両手で把持してその下端側の部分を土中にある程度（例えば１０ｃｍ程度）押し込んだ後に、中間に位置する２本の支柱を両手で把持してその下端側の部分を土中にある程度（例えば１０ｃｍ程度）押し込むという作業を、各支柱の下端部分が土中に２０〜３０ｃｍ程度押し込まれた状態となるまで繰り返えせばよいと考えた。しかしながら、実際に試験してみたところ、次のような問題が発生した。即ち、
【０００７】
両側の２本の支柱を両手で把持してその下端側の部分を土中にある程度押し込んだとき、中間の２本の支柱は土中にほとんど押し込まれず、両側の支柱と、これに隣り合う中間の支柱との間に段差が生じた。そして、この段差が大きくなるに従って、前記支柱の前記所要部位が前記嵌入凹部から外れる傾向となり、そのうちに該所要部位が該嵌入凹部から外れてしまう問題が発生した。
【０００８】
又、植物栽培棚の使用時期が終わって支柱を引き抜く際を想定して、両側の２本の支柱を両手で把持して該支柱をある程度（例えば１０ｃｍ程度）引き抜こうとしたとき、中間の２本の支柱は、土が降雨等で締め固められた状態にあってほとんど動かず、両側の該支柱と、これに隣り合う中間の支柱との間に段差が生じた。そして、この段差が大きくなるに従って、前記支柱の前記所要部位が前記嵌入凹部から外れる傾向となり、そのうちに該所要部位が該嵌入凹部から外れてしまう問題が発生した。
【先行技術文献】
【特許文献】
【０００９】
【特許文献１】実用新案登録第３１４３８５８号公報
【発明の概要】
【発明が解決しようとする課題】
【００１０】
本発明は、例えば前記問題点に鑑みて開発されたものであり、植物の茎や幹を支持する植物栽培棚や、植物相互間に形成される間仕切り、植物に沿って形成されるフェンス、防獣柵等の、複数本の支柱を用い且つ支柱相互が連結されてなる農園芸用構造物を構成するに際し、該農園芸用構造物を作業性よく能率的に構成可能とする農園芸装置の提供を課題とするものである。又、かかる農園芸装置を構成するために用いて好適な農園芸用支柱相互連結具の提供を課題とするものである。
【課題を解決するための手段】
【００１１】
前記課題を解決するため本発明は以下の手段を採用する。
即ち本発明に係る農園芸用の支柱相互連結具の第１の態様は、農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された前記支柱を弾性的に挟持できることを特徴とするものである。
【００１２】
本発明に係る農園芸用の支柱相互連結具の第２の態様は、農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された前記支柱を、対向する挟持片部間で弾性的に挟持でき、前記弾性変形部は、上方に向けて又は下方に向けて凸のＵ字状部として構成され、該Ｕ字状部の一方の端部が前記連結部材の端部に連結されると共に、該Ｕ字状部の他方の端部が前記支柱挟持部に連結されていることを特徴とするものである。
【００１３】
本発明に係る農園芸用の支柱相互連結具の第３の態様は、農園芸用構造物を構成するに際し、下端側の部分が土中に埋設されて立設される支柱相互を連結する支柱相互連結具であって、連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された支柱を対向する挟持片部間で弾性的に挟持できる。前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記支柱挟持部に連結されていることを特徴とするものである。
【００１４】
本発明に係る農園芸用の支柱相互連結具の第４の態様は、農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられている。該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されている。前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されている。前記連結部材の左右両端部の内の一方の端部の下端側に、前記波線状屈曲部の前記第１のＵ字状弾性変形部の外端が連結されると共に、該波線状屈曲部の前記第２のＵ字状弾性変形部の外端が前記Ｃ字筒状体の外側面の下端側に連結されている。又、前記連結部材の左右両端部の内の他方の端部の上端側に、前記波線状屈曲部の前記第２のＵ字状弾性変形部の内端が連結されると共に、該波線状屈曲部の前記第１のＵ字状弾性変形部の外端が、前記Ｃ字筒状体の前記外側面の上端側に連結されていることを特徴とするものである。
【００１５】
本発明に係る農園芸用の支柱相互連結具の第５の態様は、農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されている。前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されている。前記連結部材の左右両端部の内の一方の端部の下端側に、前記波線状屈曲部の前記第１のＵ字状弾性変形部の外端が連結されると共に、該波線状屈曲部の前記第２のＵ字状弾性変形部の外端が前記Ｃ字筒状体の外側面の下端側に、該Ｃ字筒状体の正回りの周方向で見て該外側面の左右中央部から前記支柱導入口側に偏倚して連結されている。又、前記連結部材の左右両端部の内の他方の端部の上端側に、前記波線状屈曲部の前記第２のＵ字状弾性変形部の外端が連結されると共に、該波線状屈曲部の前記第１のＵ字状弾性変形部の外端が前記Ｃ字筒状体の前記外側面の上端側に、該Ｃ字筒状体の前記正回りの周方向で見て該外側面の前記左右中央部から前記支柱導入口側に偏倚して連結されており、且つ、前記両偏倚の量は等しく設定されていることを特徴とするものである。
【００１６】
本発明に係る農園芸用の支柱相互連結具の第６の態様は、農園芸用構造物を構成するに際し、下端側の部分が土中に埋設されて立設される支柱相互を連結する支柱相互連結具であって、直線状を呈する連結部材の左右両端部に、上下方向の変位を弾性的に吸収し得る弾性変形部を介して支柱挟持部が設けられており、該支柱挟持部は、前記支柱の長さ方向の所要部位を支柱導入口を通して嵌入させ得る嵌入凹部を有し且つ該嵌入凹部に嵌入された該所要部位を、対向する挟持片部間で弾性的に挟持し得る横断面Ｃ字状のＣ字筒状体として構成され、該両挟持片部の先側間に前記支柱導入口が形成され、前記支柱導入口の開口幅は前記支柱の径よりも小さく形成されており、左右の該Ｃ字筒状体は、前記支柱導入口を左右方向の外方に向けて開口させて配置されている。前記弾性変形部は、上方に向けて凸の第１のＵ字状弾性変形部と下方に向けて凸の第２のＵ字状弾性変形部との内端相互が一連に連結されて左右方向に波線状を呈する波線状屈曲部として構成されており、該波線状屈曲部の一方の端部が前記連結部材の端部に連結されると共に、該波線状屈曲部の他方の端部が前記Ｃ字筒状体に連結されている。前記連結部材の左右両端部の内の一方の端部の下端側に、前記波線状屈曲部の前記第１のＵ字状弾性変形部の外端が、内側の水平突出部を介して連結されると共に、該波線状屈曲部の前記第２のＵ字状弾性変形部の外端が前記Ｃ字筒状体の外側面の下端側に、外側の水平突出部を介して、該Ｃ字筒状体の正回りの周方向で見て該外側面の左右中央部から前記支柱導入口側に偏倚して連結されている。又、前記連結部材の左右両端部の内の他方の端部の上端側に、前記波線状屈曲部の前記第２のＵ字状弾性変形部の外端が、内側の水平突出部を介して連結されると共に、該波線状屈曲部の前記第１のＵ字状弾性変形部の外端が、前記Ｃ字筒状体の前記外側面の上端側に、外側の水平突出部を介して、該Ｃ字筒状体の前記正回りの周方向で見て該外側面の前記左右中央部から前記支柱導入口側に偏倚して連結されており、且つ、前記両偏倚の量は等しく設定されていることを特徴とするものである。
【００１７】
本発明に係る農園芸装置の第１の態様は、下端側の部分が土中に埋設されて立設される複数本の支柱と、前記１〜６の何れかに記載の支柱相互連結具とを具え、該支柱の長さ方向の前記所要部位が前記支柱挟持部の前記嵌入凹部に嵌入されることによって、該支柱相互が該支柱相互連結具で連結されていることを特徴とするものである。
【００１８】
本発明に係る農園芸装置の第２の態様は、前記嵌入凹部に前記支柱の所要部位が嵌入された状態で、前記支柱挟持部が、該所要部位の軸線回りに回動可能とされていることを特徴とするものである。
【発明の効果】
【００１９】
本発明に係る農園芸用支柱相互連結具は、農園芸用構造物を構成するに際し、下端側の部分が土中に埋設されて立設される支柱相互を連結する支柱相互連結具であって、線状を呈する連結部材の左右両端部に、上下方向の変位を弾性的に吸収し得る弾性変形部を介して支柱挟持部が設けられている。
【００２０】
従って本発明によるときは、支柱相互を予め前記農園芸用支柱相互連結具により連結して農園芸装置を構成した後、これを用いて農園芸用構造物を構成する際、複数本の該支柱を、その下端側の部分を土中に押し込んで立設する際、該押し込みの過程で隣り合う支柱間に段差が生じてこの段差が大きくなっても、前記弾性変形部の所要の弾性変形による上下方向の変位の吸収作用によって、前記支柱が前記支柱挟持部から外れてしまうのを防止できる。これによって本発明によるときは、農園芸用構造物、例えば植物栽培棚や、植物相互間に形成される間仕切り、植物に沿って形成されるフェンス、防獣柵等を作業性よく能率的に組み立てることができる。
【００２１】
又、例えば前記植物栽培棚を例にとれば、その使用時期が終わったときに前記支柱を手で把持して引き抜く際、手で把持されていない支柱は、土が降雨等で締め固められた状態にあるために抜けにくい。そのため、隣り合う支柱間に段差が生ずることになるのであるが、前記弾性変形部の所要の弾性変形による上下方向の変位の吸収作用によって、前記支柱が前記支柱挟持部から外れてしまうのを防止できる。これによって植物栽培装置は、隣り合う支柱相互が前記支柱相互連結具で連結されたままの状態でこれを地面から取り外せることとなる。従って、取り外された農園芸装置（植物栽培装置）を翌シーズンまで保管すれば、翌シーズンにおいては前記のように、該農園芸装置を用いて植物栽培棚を作業性よく組み立てることができ、該植物栽培棚で植物を栽培できることとなる。
【図面の簡単な説明】
【００２２】
【図１】本発明に係る植物栽培装置の一例を示す正面図と平面図である。
【図２】本発明に係る植物栽培装置の他の例を示す正面図と平面図である。
【図３】本発明に係る支柱相互連結具を示す斜視図と正面図と平面図である。
【図４】本発明に係る支柱相互連結具を説明する部分拡大正面図である。
【図５】支柱相互を支柱相互連結具により連結した状態を説明する部分正面図である。
【図６】支柱相互が支柱相互連結具によって連結された植物栽培装置を地面に立設する過程で隣り合う支柱間に生じた段差に起因する上下方向の変位を弾性変形部が吸収した状態を説明する説明図である。
【図７】その段差が解消された状態を説明する説明図である。
【図８】弾性変形部が上下方向の変位を吸収した状態を説明する拡大図である。
【図９】継ぎ足し支柱の構成を説明する説明図である。
【図１０】継ぎ足し支柱の連結構成を説明する説明図である。
【図１１】植物栽培装置の折り畳み作業を説明する平面図である。
【図１２】植物栽培装置を折り畳んだ状態を示す平面図である。
【図１３】山形状を呈する開閉式支柱が所要間隔を置いて配置され、該開閉式支柱を構成する支柱相互が支柱相互連結具で連結されている状態を示す斜視図である。
【発明を実施するための形態】
【実施例１】
【００２３】
図１〜２において本発明に係る農園芸装置１は、キュウリ等の蔓性植物やトマト等を栽培するための植物栽培棚（植物を栽培できるものであれば、その平面形態やその正面形態、側面形態を問わない）としての農園芸用構造物を構成する植物栽培装置１ａとして応用されており、該植物栽培装置１ａを構成する支柱２，２相互が支柱相互連結具３で連結されている。
【００２４】
該支柱相互連結具３は、本実施例においてはプラスチック製であり、図３〜４に示すように、線状を呈する連結部材５の左右両端部６，７に、上下方向の変位を弾性的に吸収し得る弾性変形部、９，９を介して支柱挟持部１０，１０が設けられており、該支柱挟持部１０，１０は、前記支柱２の所要部位１１を、該支柱２の長さ方向と直交する側部方向Ｆ（図４）から支柱導入口１２を通して嵌入させ得る嵌入凹部１３を有し且つ該嵌入凹部１３に嵌入された前記支柱２を弾性的に挟持でき、前記支柱導入口１２の開口幅は前記支柱２の径よりも小さく形成されている。以下、これを具体的に説明する。
【００２５】
前記支柱挟持部１０，１０は、図３（Ａ）（Ｃ）に示すように、対向する挟持片部１４，１４を具える横断面Ｃ字状のＣ字筒状体１５，１５として構成されている。左右の該Ｃ字筒状体１５，１５は、図３（Ｃ）に示すように、平面視で前後に稍位置ずれしている。そして各Ｃ字筒状体１５は、両該挟持片部１４，１４の先側間に、前記支柱２の前記所要部位１１を通すための前記支柱導入口１２が形成されており、前記支柱導入口１２の開口幅は前記支柱２の径よりも小さく形成されている。又該Ｃ字筒状体15は、該支柱導入口１２を通過した前記所要部位１１を嵌入させ得る前記嵌入凹部１３を該両挟持片部１４，１４間で形成している。そして、前記嵌入凹部１３に前記支柱２の所要部位１１が嵌入された状態で、前記支柱挟持部１０（本実施例においてはＣ字筒状体１５）が、該所要部位１１の軸線回りに回動可能とされている。
【００２６】
前記左右両端部に設けられている前記弾性変形部９，９は、図３〜４に示すように、上方に向けて凸の第１のＵ字状弾性変形部１６と下方に向けて凸の第２のＵ字弾性変形部１７の内端１９，２０相互が一連に連結されて横方向に波線状を呈する波線状屈曲部２１を以て構成されている。
【００２７】
そして、前記連結部材５の左右両端部６，７の何れか一方の端部（図３〜４においては左の端部）６の下端側２２に、前記波線状屈曲部２１の前記第１のＵ字状弾性変形部１６の外端２３が、内側の水平突出部２５を介して連結されている。又、該波線状屈曲部２１の前記第２のＵ字状弾性変形部１７の外端２６が、図３( Ａ) （Ｃ）、図４に示すように、前記Ｃ字筒状体１５の外側面２８の下端側２９に外側の水平突出部２７を介して、前記Ｃ字筒状体１５の正回りＦ１の周方向（図３（Ｃ）においては時計回りの周方向）で見て該外側面２８の左右中央部２４から前記支柱導入口１２側に稍偏倚させて連結されている。
【００２８】
そして図４に示すように、前記連結部材５の他方の端部（図においては右の端部）７の上端側３０に、前記波線状屈曲部２１の前記第２のＵ字状弾性変形部１７の外端３１が、内側の水平突出部３２を介して連結されている。又、該波線状屈曲部２１の前記第１のＵ字状弾性変形部１６の外端３３が、本実施例においては前記外側の水平突出部３５を介して、図３（Ａ）（Ｃ）、図４に示すように、前記Ｃ字筒状体１５の外側面２８の上端側３６に、該Ｃ字筒状体１５の前記正回りＦ１の周方向（図３（Ｃ）における時計回りの周方向）で見て前記左右中央部２４から前記支柱導入口側１２に偏倚させて連結されている。該両偏倚の量は等しく設定されている。本実施例において、左右の前記波線状屈曲部２１，２１の両端を前記連結部材５の端部６，７や前記Ｃ字筒状体１５の外側面２８に連結するに際して、前記内側の水平突出部２５，３２及び前記外側の水平突出部２７，３５を介して連結しているのは、該内側の水平突出部２５、３２及び該外側の水平突出部２７，３５の弾性変形によって該端部６，７や該外側面２８に対する連結部に無理な応力が作用しないようにするためである。
【００２９】
本実施例においては、前記支柱２の直径は例えば１１ｍｍ、その高さは例えば１２００ｍｍ、隣り合う支柱２，２の中心間距離は例えば１５０ｍｍに設定されると共に、上下隣り合う支柱相互連結具３，３間の間隔は例えば３００ｍｍに設定されている。そして該支柱２の下端側の２００〜３００ｍｍ程度が土中に埋設される。
【００３０】
図５は、４本の支柱２，２，２，２が所要間隔を置いて、その下端側の部分が土中に埋設されて立設され、左側の２本の支柱２，２相互、中間の２本の支柱２，２相互、右側の２本の支柱２，２相互が、夫々、前記支柱相互連結具３で連結された状態の拡大図である。各支柱２の長さ方向の所要部位１１が前記側部方向から、前記支柱導入口１２を通して、前記Ｃ字筒状体１５の前記嵌入凹部１３に嵌入されており、中間に位置する前記支柱２、２においては、前記Ｃ字筒状体１５，１５が上下に積み重なっている。そして、左右の支柱相互連結具３，３の前記連結部材５，５は、見栄えよく略同一高さの一直線状を呈している。
【００３１】
該左右隣り合う連結部材５，５を略同一高さに設定できるのは、本発明が次の構成を採用していることによる。即ち、第１には、前記支柱相互連結具３が、図３〜４に基づいて前記したように、その左側に位置する前記波線状屈曲部２１にあっては、前記第１のＵ字状弾性変形部１６の外端２３が、前記連結部材５の下端側２２に連結されている（本実施例においては、内側の前記水平突出部２５を介して連結されている）からである。且つ、前記第２のＵ字状弾性変形部１７の外端２６が、前記Ｃ字筒状体１５の外側面２８の下端側２９に連結されている（本実施例においては、外側の前記水平突出部２７を介して連結されている）からである。又第２には、前記支柱相互連結具３が、図３〜４に基づいて前記したように、その右側に位置する前記波線状屈曲部２１にあっては、前記第１のＵ字状弾性変形部１６の外端３３が、前記Ｃ字筒状体１５の外側面２８の上端側３６に連結されている（本実施例においては、前記外側の水平突出部３５を介して連結されている）からである。これら第１、第２の理由で述べた構成を採用することによって、前記外側の水平突出部３５と前記外側の水平突出部２７とが上下隣り合うように上下のＣ字筒状体１５，１５を積み重ねたとき、図５に示すように自ずから、左右隣り合う前記連結部材５，５を、略同一高さの一直線状を呈するように設定できることとなるのである。
【００３２】
図１〜２においては、最下端に位置する前記支柱相互連結具３は前記支柱２の下端３９から５５０ｍｍ程度上側に位置しており、最上端に位置する前記支柱相互連結具３は、該支柱２の上端４０から５０ｍｍ程度下側に位置している。
【００３３】
前記４本の支柱２，２，２，２を、その下端側の部分を耕した土中に押し込んで立設状態とする際は、例えば図６に示すように、両側の第１の支柱２ａと第２の支柱２ｂを両手の夫々で把持して下方向に例えば１００ｍｍ程度押し込む。この状態で、中間に位置する第３、第４の支柱２ｃ，２ｄは土中にほとんど押し込まれない。従って、図６における左端側の第１の支柱２ａと、これに隣り合う第３の支柱２ｃとの間、及び、右端側の第２の支柱２ｂと、これに隣り合う第４の支柱２ｄとの間に段差が生ずることとなる。その後、図７に示すように、中間に位置する第３の支柱２ｃと第４の支柱２ｄを両手の夫々で把持して下方向に例えば１００ｍｍ程度押し込む。かかる押し込み操作を、各支柱２の土中への押し込み長さが２００〜３００ｍｍ程度となるまで所要回数（例えば２〜３回程度）繰り返す。
【００３４】
ところで従来においては、前記したように、かかる段差が大きくなるに従って、前記支柱２の前記所要部位１１が、前記支柱導入口１２を通して前記嵌入凹部１３から外れる傾向となり、そのうちに該所要部位１１が該嵌入凹部１３から外れてしまう問題を生じさせた。
【００３５】
これに対して本発明によるときは、前記弾性変形部９の所要の弾性変形によって、前記第１のＵ字状弾性変形部１６と前記第２のＵ字状弾性変形部１７が、例えば図８に拡大して示すように弾性変形できるため、前記支柱２の前記所要部位１１が、前記支柱導入口１２を通して前記嵌入凹部１３から外れる傾向となるのを防止できる。
【００３６】
即ち、図８においては、前記第1 の支柱２ａについては前記第1 のＵ字状弾性変形部１６が弾性的に拡がリ変形しており且つ前記第２のＵ字状弾性変形部１７が弾性的に縮み変形している。又前記第３の支柱２ｃについては、前記第１のＵ字状弾性変形部１６が弾性的に縮み変形しており且つ前記第２のＵ字状弾性変形部１７が弾性的に拡がり変形している。かかる２種類の異なる弾性変形によって、前記所要部位１１が該嵌入凹部１３から外れてしまうのを効果的に防止できる。
【００３７】
このように本発明によるときは、前記弾性変形部９による前記上下方向の変位の弾性的吸収作用によって前記段差に追随でき、前記支柱挟持部１０が支柱２から外れてしまうのを防止できる。
【００３８】
図９〜１０は、前記植物栽培装置１ａを構成している前記支柱２の列３７の上端に継ぎ足し支柱３８を連結できるように構成した場合を示している。該継ぎ足し支柱３８は、例えば３００〜５００ｍｍ程度、例えば５００ｍｍ程度の長さを有しており、４本の短支柱３９，３９，３９，３９の、隣り合う２本の短支柱３９，３９相互が、前記したと同様にして、例えばその上下端側において前記支柱相互連結具３で連結されている。該継ぎ足し支柱３８においても、前記嵌入凹部１３に前記支柱２の前記所要部位１１が嵌入された状態で、前記支柱挟持部１０（本実施例においては前記Ｃ字筒状体１５）が該所要部位１１の軸線回りに回動可能とされている。そして図１０に示すように、各短支柱３８の下端には連結軸４２が突設されており、該連結軸４２は、同図に示すように、前記支柱２の上端に付設された連結キャップ４０及び前記支柱２の上端部分に亘ってその軸線に沿って設けられてなる連結孔４１に挿入される。該連結軸４２を該連結孔４１に挿入することによって、植物栽培装置１を構成する支柱全長をより長いものに変更できる。
【００３９】
本実施例においては前記のように、前記嵌入凹部１３（図３（Ａ））に前記支柱２の前記所要部位１１が嵌入された状態で、前記支柱挟持部１０（本実施例においては前記Ｃ字筒状体１５）が該所要部位１１の軸線回りに回動可能となされているため、前記植物栽培装置１をコンパクトに折り畳むことができ、梱包形態を小さくできる。
【００４０】
前記植物栽培装置１ａをコンパクトに折り畳むことができることについて、図５、図１１〜１２に基づいて具体的に説明する。今、図５において、４本の支柱２，２，２，２を、同図の左側から順に、第１の支柱２Ａ、第２の支柱２Ｂ，第３の支柱２Ｃ，第４の支柱２Ｄとしたとき、隣り合う支柱２Ａ，２Ｂと該支柱相互を連結する支柱相互連結具３とによって形成される枠体を第１の枠体４５とし、隣り合う支柱２Ｂ，２Ｃと該支柱相互を連結する支柱相互連結具３とによって形成される枠体を第２の枠体４６とし、隣り合う支柱２Ｃ，２Ｄと該支柱相互を連結する支柱相互連結具３とによって形成される枠体を第３の枠体４７とする。    
【００４１】
図５は該第１、第２、第３の枠体４５，４６，４７が一直線状に展開された状態を示している。又図１１（Ａ）は、該第１、第２、第３の枠体４５，４６，４７が一直線状に展開された状態を簡略に示す説明図である。そして図１１（Ｂ）は、前記第２の支柱２Ｂを枢軸として前記第１の枠体４５と前記第２の枠体４６を矢印で示すように、該両枠体４５，４６のなす角度が徐々に小さくなるように折り曲げる折り曲げ途中の状態と、前記第３の支柱２Ｃを枢軸として前記第２の枠体４６と前記第３の枠体４７を矢印で示すように、該両枠体４６，４７のなす角度が徐々に小さくなるように折り曲げる折り曲げ途中の状態を示している。そして図１２は、該第１の枠体４５と該第２の枠体４６と該第３の枠体４７とが折り畳まれた状態を示している。該折り畳み状態においては、前記枢軸となる前記支柱２Ｂ，２Ｃの夫々で上下積み重なっている前記Ｃ字筒状体１５、１５に連結されている前記波線状屈曲部２１，２１は、相互が干渉せずに重ね合わされている。そのため該折り畳みは、無理なく容易に行われる。
【００４２】
該折り畳み状態において、前記波線状屈曲部２１，２１相互の干渉を防止できる理由は、第１に、図３〜４に基づいて前記したように、前記波線状屈曲部２１の前記第２のＵ字状弾性変形部１７の外端２６が（本実施例においては前記外側の水平突出部２７を介して）、前記Ｃ字筒状体１５の外側面２８の下端側２９に、前記Ｃ字筒状体１５の正回りＦ１の周方向（図３（Ｃ）においては時計回りの周方向）で見て、該外側面２８の左右中央部２４から前記支柱導入口１２側に稍偏倚させて連結されているからである。第２に、同じく図３〜４に基づいて前記したように、前記波線状屈曲部２１の前記第１のＵ字状弾性変形部１６の外端３３が（本実施例においては前記外側の水平突出部３５を介して）、前記Ｃ字筒状体１５の外側面２８の上端側３６に、該Ｃ字筒状体１５の正回りＦ１の周方向（図３（Ｃ）においては時計回りの周方向）で見て、前記左右中央部２４から前記支柱導入口側１２に偏倚させて連結されているからである。第３に、前記両偏倚の量が等しく設定されているからである。第４に、前記第１の枠体４５、前記第２の枠体４６、前記第３の枠体４７を構成する前記支柱相互連結具３は、全て同一構成のものであるからである。なお該第１の枠体４５と該第３の枠体４７を構成する前記支柱相互連結具３ａ，３ｃの使用態様は、図３に記載されている図示態様のものであり、該第２の枠体４６を構成する前記支柱相互連結具３ｂの使用態様は、該支柱相互連結具３ａの該使用態様を左右反転させ且つ上下反転させた使用態様のものである。かかる第１〜第４の理由によって、図１１（Ａ）に示すように前記枢軸となる前記第２の支柱２Ｂと前記第３の支柱２Ｃについて見たとき、前記波線状屈曲部２１，２１の前記Ｃ字筒状体１５，１５に対する連結部位が、前記折り畳みの外側５１側に寄った状態となる。従って、前記折り畳み時における前記波線状屈曲部２１，２１の干渉を防止できる。これによって、前記植物栽培装置１ａをコンパクトに折り畳むことができる。
【００４３】
前記植物栽培装置１ａをこのようにコンパクトに折り畳むことができるため、その梱包形態を小さくでき輸送コストを低減できる。使用者は、梱包を開いて、折り畳まれた状態にある該植物栽培装置１ａを取り出し、その後、これを、直線状や適宜の屈曲状態にして、前記の各支柱２を、その下端側の部分を土中に押し込んで立設状態とすることにより、植物栽培棚を構成できる。
【００４４】
かかることから、本発明に係る植物栽培装置１ａによるときは、例えば前記植物栽培棚を構成するに際して、下端側の部分を土中に埋設して支柱２を立設した後に支柱相互連結具３によって該支柱２，２相互を連結しなければならないといった従来における面倒な組み立て作業が不要となるので、植物栽培棚を作業性よく能率的に組み立てることができる。
【００４５】
又、該植物栽培棚の使用時期が終わったときに支柱２を手で把持して引き抜く際において、該引き抜きの過程で隣り合う支柱２，２間に段差が生じてこの段差が大きくなっても、前記弾性変形部９の所要の弾性変形によって、前記支柱２が前記嵌入凹部１３から外れてしまうのを防止できる。これによって、植物栽培装置１ａは、隣り合う支柱２，２相互が前記支柱相互連結具３により連結されたままの状態で取り外されることになる。本実施例に係る植物栽培装置１ａによるときは、このように取り外した後、これを、前記したようにコンパクトに折り畳んで省スペースを図って保管できる。そして翌シーズンにおいては、前記したように、該植物栽培装置１ａを用いて植物栽培棚を構成し植物栽培を行い得ることとなる。
【実施例２】
【００４６】
本発明は、前記実施例で示したものに限定されるものでは決してなく、「特許請求の範囲」の記載内で種々の設計変更が可能であることはいうまでもない。その一例を挙げれば次のようである。
【００４７】
（１）本発明に係る支柱相互連結具３は、前記植物栽培装置１ａを構成するために用いることができる他、植物相互間に形成される間仕切りや、植物に沿って形成されるフェンス、防獣柵等の農園芸用構造物を構成するに際し、下端側の部分が土中に埋設されて立設される支柱相互を連結するために用いることもできる。
【００４８】
（２）本発明に係る植物栽培装置１を構成する支柱２の本数は、複数本であれば前記した４本には特定されず、例えば５〜６本等であってもよい。支柱２の長さとしては、前記した１２００ｍｍ長さのものの他、例えば９００ｍｍ長さのもの、１５００ｍｍ長さのもの、１８００ｍｍ長さのもの等がある。
【００４９】
（３）前記波線状屈曲部２１の両外端を前記連結部材５の端部や前記Ｃ字筒状体１５の外側面２８に連結する構成は、前記内側の水平突出部２５，３２、前記外側の水平突出部２７，３５を介さないで直接に連結することとしてもよい。
【００５０】
（４）前記支柱相互連結具３を構成する前記弾性変形部９は、前記した波線状屈曲部２１を以てなるものには限定されない。該弾性変形部９は、複数本の支柱２を具える植物栽培装置１ａ等の農園芸構造物の組み立て時において、該複数本の支柱の下端側の部分を土中に押し込む際に、該押し込みの過程で隣り合う支柱２，２間に段差が生じてこれが大きくなっても、該支柱２の前記所要部位１１が、前記支柱導入口１２を通して前記嵌入凹部１３から外れてしまうのを防止できるように弾性変形できるものであれば、各種に構成できる。
【００５１】
該弾性変形部６は、例えば、一つのＵ字状弾性変形部を以って構成することもできる。該一つのＵ字状弾性変形部、前記第１のＵ字状弾性変形部１６、前記第２のＵ字状弾性変形部１７における各「Ｕ字状」には「Ｃ字状」が含まれる。又該弾性変形部６は、前記波線状屈曲部２１の波線部の横断面が円形状を呈するものであってもよい。又該弾性変形部６は、水平軸状や水平板状を呈する樹脂板部の上面部と下面部にギザギザ状の凹凸部を設けることによっても構成でき他、弾性変形の容易な樹脂部等を以って構成することもできる。
【００５２】
（５）前記支柱相互連結具３を構成する前記連結部材５は、前記した直線状を呈するものには限定されず、例えば、その中間部分に波線状部等の弾性変形部が介在されてもよい。又該連結部材５は、上に凸や下に凸の湾曲線状を呈するものであってもよい他、全長に亘って波線状を呈するものであってもよい。
【００５３】
（６）前記嵌入凹部１３に前記支柱２の前記所要部位１１が嵌入された状態で、前記支柱挟持部１０が該所要部位１１の軸線回りに回動可能とする場合は、これらの支柱２を、図１に示すように―直線上に並ぶように立設できることの他、これらを平面視でジグザグ状や台形状を呈する配置で立設したり、或いは図２に示すように、植物を取り囲む三角形状等の配置で立設する等、平面視で適宜の屈曲状態にして、各支柱を、その下端側の部分を土中に押し込んで立設状態とすることも可能である。これと同様に前記継ぎ足し支柱３８においても、前記嵌入凹部１３に前記支柱２の前記所要部位１１が嵌入された状態で、前記支柱挟持部１０が前記所要部位１１の軸線回りに回動可能となし得る。
【００５４】
（７）前記Ｃ字筒状体１５の外側面２８に対する前記外側の水平突出部２７，３５の連結部位は、 前記下端側２９や前記上端側３６には特定されず、該外側面２８の中間部に設定されてもよい。又、前記連結部材５の端部６，７に対する連結部位は、該端部６，７の中間部に設定されてもよい。
【００５５】
（８）多数本の支柱２、例えば４本の支柱を所要間隔を置いて土中に埋設して立設する場合、該支柱２，２相互を前記支柱相互連結具３で連結する場合、左右隣り合う前記連結部材５，５は段違い状態となってもよい。
【００５６】
（９）前記支柱２，２相互を連結した状態にある前記支柱相互連結具３の、該支柱２，２の上下方向での連結位置は、植物の成長に合わせて、例えば植物の蔓や実の位置等に合わせて、適宜変更してよい。
【００５７】
（１０）前記支柱挟持部１０を前記所要部位１１の軸線回りに回動可能とすることによって、複数本の支柱を、全体として筒状を呈するように立設する場合、該筒状の形態が、上方に向けて細くなったり太くなったりするように、各支柱を所要の傾斜状態で立設することもできる。
【００５８】
（１１）図１３は、山形状を呈する開閉式支柱４９を所要間隔を置いて配置した場合を示す斜視図であり、該開閉式支柱４９を構成する支柱２，２相互が前記支柱相互連結具３により連結されている。図１３においては便宜上、前記支柱相互連結具3 の図示を、隣り合う支柱相互を連結する水平直線部として簡略に表示している。
【００５９】
（１２）本発明に係る植物栽培装置１ａは、地面に支柱２を立設して構成できることの他、プランター等で植物を栽培する際にも使用できる。
【００６０】
（１３）本発明に係る農園芸装置が防獣柵として用いられる場合は、前記支柱は、その上端をハンマーで打圧されることによって地面に埋設される。
【符号の説明】
【００６１】
１  植物栽培装置
２  支柱
３  支柱相互連結具
５  連結部材
９  弾性変形部
１０  支柱挟持部
１１  所要部位
１２  支柱導入口
１３  嵌入凹部
１５  Ｃ字筒状体
１６  第１のＵ字状弾性変形部
１７  第２のＵ字状弾性変形部
２１  波線状屈曲部
２５  内側の水平突出部
２７  外側の水平突出部
２９  下端側
３２  内側の水平突出部
３５  外側の水平突出部
３６  上端側
【要約】
【課題】植物栽培装置の組み立て作業を能率化する。
【解決手段】複数本の植物栽培用の支柱２と、隣り合う支柱２，２相互を連結する支柱相互連結具３を具える。支柱相互連結具３は、線状を呈する連結部材５の両端部に弾性変形部９を介して支柱挟持部１０が設けられている。支柱挟持部１0 は、支柱２の所要部位を、側部方向から支柱導入口１２を通して嵌入させ得る嵌入凹部１３を有し且つ嵌入凹部１３に嵌入された支柱２の所要部位１１を弾性的に挟持し得る横断面Ｃ字状のＣ字筒状体１５として構成されている。支柱導入口１２の開口幅は支柱２の径よりも小さい。
【選択図】  図３【図１】
0006774134.tif 000002
【図２】
0006774134.tif 000003
【図３】
0006774134.tif 000004
【図４】
0006774134.tif 000005
【図５】
0006774134.tif 000006
【図６】
0006774134.tif 000007
【図７】
0006774134.tif 000008
【図８】
0006774134.tif 000009
【図９】
0006774134.tif 000010
【図１０】
0006774134.tif 000011
【図１１】
0006774134.tif 000012
【図１２】
0006774134.tif 000013
【図１３】
0006774134.tif 000014